(57)【特許請求の範囲】
【請求項１】
上下の横の框と左右の縦の框を方形状に連結した框組体１４と、
この框組体１４内に設けた板状体１５と、
前記框組体１４の隣接した２つの框にそれぞれに取付けられ前記板状体１５を框組体１４内に保持する２つの押縁１６と、
前記隣接した２つの框のコーナー部に取付けられ、前記隣接した押縁１６を連続させる押縁コーナーブロック１７を備え、
前記隣接した２つの框は、その内側面に押縁取付部２２とブロック取付部を有し、
前記２つの押縁１６は、前記２つの框の押縁取付部２２にそれぞれ取付けられる形状で
前記押縁コーナーブロック１７は、前記隣接した２つの框の少なくとも一方の框のブロック取付部に取付け固定され、かつ前記２つの押縁１６の長手方向の端面に当接する２つの端面を有する形状で、
前記２つの押縁１６の長手方向の端面が押縁コーナーブロック１７の２つの端面に当接して２つの押縁１６の表面が押縁コーナーブロック１７で連続し、
前記押縁１６と板状体１５との間及び前記押縁コーナーブロック１７と板状体１５との間に隙間がそれぞれ存在し、
前記押縁１６と板状体１５の間の隙間に気密材を装着したことを特徴とする押縁付き建具。
【請求項２】
ブロック取付部は係止受片を有し、
押縁コーナーブロック１７は、本体部３０と取付部３１を有し、
前記本体部３０は、隣接した２つの框の内側面に当接する２つの端面と、隣接した２つの押縁１６の長手方向の端面１６ｄが当接する２つの端面と、隣接した２つの押縁１６の表面を連続する表面を有する矩形板状で、
前記取付部３１は、前記係止受片に係止する取付片を有し、前記押縁コーナーブロック１７は、その取付片を隣接した２つの框の少なくとも一方の框の係止受片に係止して取付け固定する形状である請求項１記載の押縁付き建具。
【請求項３】
隣接した２つの框の内側面に第１係止受片２３と第２係止受片２４を見込み方向に離隔して形成し、その第１係止受片２３と第２係止受片２４との間をブロック取付部とし、
押縁コーナーブロック１７は、本体部３０と弾性を有する取付部３１を有し、
前記本体部３０は、隣接した２つの框の内側面に当接する２つの端面と、隣接した２つの押縁１６の長手方向の端面１６ｄが当接する２つの端面と、隣接した２つの押縁１６の表面を連続する表面を有する矩形板状で、
前記押縁コーナーブロック１７は、その取付部３１を弾性変形して、隣接した２つの框の少なくとも一方の框の第１係止受片２３と第２係止受片２４間に押し込んで嵌合して取付け固定されるものである請求項１記載の押縁付き建具。
【請求項４】
隣接した２つの框の内側面に第１係止受片２３と第２係止受片２４を見込み方向に離隔して形成してブロック取付部とし、
本体部３０は、隣接した２つの框の少なくとも一方の框の第１係止受片２３に当接して表面方向への突出を規制する規制部３３を有し、
取付部３１の取付片は弾性を有し、その取付片が隣接した２つの框の少なくとも一方の框の第２係止受片２４に係止し、かつその取付片が弾性変形し、その取付片の弾性復元力で本体部３０の規制部３３を第１係止受片２３に当接する形状とした請求項２記載の押縁付き建具。
【請求項５】
本体部３０は、隣接した２つの框の少なくとも一方の框の第１係止受片２３に当接して表面方向への突出を規制する規制部３３を有し、
取付部３１の弾性復元力で規制部３３が第１係止受片２３に当接するようにした請求項３記載の押縁付き建具。
【発明の詳細な説明】
【０００１】
【発明の属する技術分野】
本発明は、引き違い窓、片引き窓などに装着される障子、ドア枠に装着される扉などの押縁付き建具に関する。
【０００２】
【従来の技術】
押縁付き建具は、例えば図１８に示すように、上框１と下框２と左右の縦框３を方形状に連結した框組体４と、この框組体４内に設けたガラス等の板状体５と、前記各框に取付けた押縁６を備えている。
前記隣接する押縁６は、一方の押縁６の内側面６ａ（見付け方向の内側面）と他方の押縁６の端面６ｂ（長手方向の端面）が当接している。
【０００３】
前述の押縁付き建具は、特開平９−２０９６５８号公報に示すように、框組体４の見込み方向一側部の内周面の大きさが板状体５よりも大きく、その框組体４内に板状体５を挿入し易くしてある。
【０００４】
前述の押縁付き建具は、次のようにして組立てられる。
框組体４内に、その見込み方向一側から板状体５を挿入し、その後に各框の見込み方向一側部に押縁６を取付け、その押縁６で板状体５を框組体４内に保持するように組立てられる。
【０００５】
【発明が解決しようとする課題】
前述の押縁６は、その表面形状（見込み方向一側面形状）が湾曲形状等の装飾形状であるものが知られている。
この押縁６の場合には、隣接する押縁６の接合角部（コーナー部）における表面形状に連続性が無くなり、意匠性が悪い。
例えば、押縁６の表面形状が見付け方向に湾曲した形状であると、上框１に取付けた押縁６の表面形状が上下方向に湾曲した形状である。縦框３に取付けた押縁６の表面形状が左右方向に湾曲した形状である。
よって、上框１に取付けた押縁６の内側面６ａと縦框３に取付けた押縁６の端面６ｂが当接した接合角部において押縁の表面形状が不連続となる。
【０００６】
実開昭５４−５２１４３号公報に、框と板状体との間の気水密を保持するビードをコーナー部材で連続した建具が提案されている。
この建具であれば、表面が装飾形状のビードの表面形状をコーナー部材で連続させることができる。
しかしながら、このビードは框と板状体との間に挿入されて框と板状体との間の気水密を保持するもので、前述した押縁とは取付け及び機能が相違する。
また、前述のコーナー部材は框と板状体との間に挿入して取付けられる。
このために、前述したビードをコーナー部材で連続させる技術を、そのまま押縁付き建具に適用できない。
【０００７】
例えば、アルミ等の金属製の押縁を用いる押縁付き建具の場合は、押縁と板状体との間に気密材を装着することで、押縁による板状体への傷の発生を防止し、また板状体と押縁との間の気密性を向上している。
この押縁付き建具においては、気密材が装着される前の段階では、板状体と押縁との間に気密材が嵌入する隙間が存在する。
【０００８】
よって、前述のコーナー部材と板状体との間にも気密材が嵌入する隙間が存在し、そのコーナー部材を框組体に保持できない。
したがって、上框と左右縦框との接合角部（コーナー部）にコーナー部材を装着しても脱落してしまうことから、一人がコーナー部材を支えながらもう一人が気密材を装着する等、組立て作業性が悪いという問題が生じる。
【０００９】
本発明は前述の課題を解決するためになされたものである。
本発明の目的は、組立作業性が良好な押縁付き建具とすることである。
【００１０】
【課題を解決するための手段】
第１の発明は、上下の横の框と左右の縦の框を方形状に連結した框組体１４と、
この框組体１４内に設けた板状体１５と、
前記框組体１４の隣接した２つの框にそれぞれに取付けられ前記板状体１５を框組体１４内に保持する２つの押縁１６と、
前記隣接した２つの框のコーナー部に取付けられ、前記隣接した押縁１６を連続させる押縁コーナーブロック１７を備え、
前記隣接した２つの框は、その内側面に押縁取付部２２とブロック取付部を有し、
前記２つの押縁１６は、前記２つの框の押縁取付部２２にそれぞれ取付けられる形状で
前記押縁コーナーブロック１７は、前記隣接した２つの框の少なくとも一方の框のブロック取付部に取付け固定され、かつ前記２つの押縁１６の長手方向の端面に当接する２つの端面を有する形状で、
前記２つの押縁１６の長手方向の端面が押縁コーナーブロック１７の２つの端面に当接して２つの押縁１６の表面が押縁コーナーブロック１７で連続し、
前記押縁１６と板状体１５との間及び前記押縁コーナーブロック１７と板状体１５との間に隙間がそれぞれ存在し、
前記押縁１６と板状体１５の間の隙間に気密材を装着したことを特徴とする押縁付き建具である。
【００１１】
第２の発明は、第１の発明においてブロック取付部は係止受片を有し、
押縁コーナーブロック１７は、本体部３０と取付部３１を有し、
前記本体部３０は、隣接した２つの框の内側面に当接する２つの端面と、隣接した２つの押縁１６の長手方向の端面１６ｄが当接する２つの端面と、隣接した２つの押縁１６の表面を連続する表面を有する矩形板状で、
前記取付部３１は、前記係止受片に係止する取付片を有し、前記押縁コーナーブロック１７は、その取付片を隣接した２つの框の少なくとも一方の框の係止受片に係止して取付け固定する形状である押縁付き建具である。
【００１２】
第３の発明は、第１の発明において隣接した２つの框の内側面に第１係止受片２３と第２係止受片２４を見込み方向に離隔して形成し、その第１係止受片２３と第２係止受片２４との間をブロック取付部とし、
押縁コーナーブロック１７は、本体部３０と弾性を有する取付部３１を有し、
前記本体部３０は、隣接した２つの框の内側面に当接する２つの端面と、隣接した２つの押縁１６の長手方向の端面１６ｄが当接する２つの端面と、隣接した２つの押縁１６の表面を連続する表面を有する矩形板状で、
前記押縁コーナーブロック１７は、その取付部３１を弾性変形して、隣接した２つの框の少なくとも一方の框の第１係止受片２３と第２係止受片２４間に押し込んで嵌合して取付け固定されるものである押縁付き建具である。
【００１３】
第４の発明は、第２の発明において隣接した２つの框の内側面に第１係止受片２３と第２係止受片２４を見込み方向に離隔して形成してブロック取付部とし、
本体部３０は、隣接した２つの框の少なくとも一方の框の第１係止受片２３に当接して表面方向への突出を規制する規制部３３を有し、
取付部３１の取付片は弾性を有し、その取付片が隣接した２つの框の少なくとも一方の框の第２係止受片２４に係止し、かつその取付片が弾性変形し、その取付片の弾性復元力で本体部３０の規制部３３を第１係止受片２３に当接する形状とした押縁付き建具。
【００１４】
第５の発明は、第３の発明において本体部３０は、隣接した２つの框の少なくとも一方の框の第１係止受片２３に当接して表面方向への突出を規制する規制部３３を有し、
取付部３１の弾性復元力で規制部３３が第１係止受片２３に当接するようにした押縁付き建具である。
【００１５】
【作用】
第１の発明によれば、隣接した２つの押縁１６の表面が押縁コーナーブロック１７で連続する。
よって、表面が装飾形状の押縁１６の接合角部における表面形状を連続させることができる。
また、押縁コーナーブロック１７は、隣接した２つの框の少なくとも一方の框のブロック取付部に取付け固定されるので、この押縁コーナーブロック１７と板状体１５との間に隙間があるにもかかわらず、その押縁コーナーブロック１７は框組体１４から落下することがない。
よって、框組体１４内に板状体１５を設けた後に押縁コーナーブロック１７を取付け、その後に押縁１６を取付ける際に、押縁コーナーブロック１７を落下しないように作業者が手で保持する必要がなく、一人の作業者で組立て可能である。
したがって、押縁付き建具の組立作業性が良い。
【００１６】
第２の発明によれば、本体部３０が隣接する２つの框の内側面と、隣接した２つの押縁１６の端面１６ｄにそれぞれ当接するので、隣接した２つの框及び隣接した２つの押縁が接合角部において一体的に連続する。
よって見栄えがよい。
また、取付部３１の取付片をブロック取付部の係止受片に係止することで、押縁コーナーブロック１７を容易に取付けできる。
【００１７】
第３の発明によれば、本体部３０が隣接する２つの框の内側面と、隣接した２つの押縁１６の端面１６ｄにそれぞれ当接するので、隣接した２つの框及び隣接した２つの押縁が接合角部において一体的に連続する。
よって、見栄えが良い。
また、取付部３１を弾性変形して第１係止受片２３と第２係止受片２４間に押し込んで嵌合することで、押縁コーナーブロック１７を容易に取付けできる。
【００１８】
第４の発明によれば、取付部３１の取付片の弾性復元力によって本体部３０の規制部３３がブロック取付部の第１係止受片２３に当接して表面方向への突出が規制される。
よって、本体部３０の表面と框の表面と押縁の表面を面一とすることが可能である。
【００１９】
第５の発明によれば、取付部３１の弾性復元力で本体部３０の規制部３３が框の第１係止受片２３に当接して表面方向への突出が規制される。
よって、本体部３０の表面と框の表面と押縁の表面を面一とすることが可能である。
【００２０】
【発明の実施の形態】
図１に示すように、建具１０は上框（横の框）１１と下框（横の框）１２と左右の縦框（縦の框）１３を方形状に連結した框組体１４と、この框組体１４に設けたガラス等の板状体１５と、前記各框に取付けられ板状体１５を框組体１４に保持する押縁１６と、前記框組体１４のコーナー部に取付けられ隣接した押縁１６を連続する押縁コーナーブロック１７を備えている。
【００２１】
前記上框１１と下框１２は図２に示すように、見付け方向の内側面、つまり内側面１１ａ，１２ａにおける見込み方向一側部に板状体１５を支持する内向突部２０を有する。
この内向突部２０は板状で、気密材装着部２１、例えば見込み方向他側方に開口した凹状溝を有する。
前記上框１１、下框１２の内側面１１ａ，１２ａにおける見込み方向他側部に押縁取付部２２を有する。
この押縁取付部２２は、見込み方向に離隔した第１係止受片２３と第２係止受片２４を有する。
前記第１係止受片２３は見込み方向他側部に設けられ、見込み方向一側に向う鉤形状である。
前記第２係止受片２４は見込み方向中間部に設けられ、見込み方向他側に向う鉤形状である。
つまり、上框１１と下框１２は同一断面形状である。
【００２２】
前記左右の縦框１３は図３に示すように、前述した上框１１、下框１２と同一断面形状で、見付け方向の内側面、つまり内側面１３ａに内向突部２０と押縁取付部２２を有する。
前記上框１１、下框１２、左右の縦框１３はアルミ製、例えばアルミ押出形材の同一断面形状で、各框の長手方向両端部を４５度に切断し、突き合わせ固着してある。
【００２３】
前記框組体１４の見込み方向一側の内周面の大きさ（各内向突部２０によって形成される内周面の大きさ）は、板状体１５よりも小さい。
前記框組体１４の見込み方向他側の内周面の大きさ（各押縁取付部２２によって形成される内周面の大きさ）は、板状体１５よりも大きい。
よって、框組体１４内に板状体１５を見込み方向他側から容易に挿入できる。
【００２４】
前記各押縁１６は、図２と図３に示すように、見付け方向に向う見込み方向一側片１６ａ、他側片１６ｂ、見込み方向に向う横片１６ｃで断面略コ字形状のアルミ押出形材で、前記框の押縁取付部２２に係脱自在な取付部２５を有する。例えば、見付け方向に向う見込み方向他側片１６ｂに設けられ、前記第１係止受片２３に係止する第１係止片２６と、見付け方向に向う見込み方向一側片１６ａに設けられ、前記第２係止受片２４に係止する第２係止片２７を有する。
各押縁１６の他側片１６ｂが押縁の表面で、その表面の形状は装飾形状、例えば円弧形状である。
【００２５】
前記各内向突部２０の気密材装着部２１に一側気密材２８が４周連続して装着してある。この一側気密材２８が板状体１５の一側面に圧接する。
前記板状体１５の他側面と各押縁１６の見込み方向一側片１６ａ（見込み方向一側面）との間に隙間がある。この隙間に他側気密材２９が４周連続して装着してある。
【００２６】
前記押縁コーナーブロック１７は図４、図５、図６に示すように、本体部３０と、取付部３１を有する。
前記本体部３０は隣接した框の内側面に当接すると共に、隣接した押縁１６の表面を連続させる矩形板状で、その隣接した２つの端面、例えば第１端面３０ａと第２端面３０ｂが隣接した框の内側面、例えば上框１１又は下框１２の内側面１１ａ，１２ａ（第１係止受片２３）と縦框１３の内側面１３ａ（第１係止受片２３）にそれぞれ当接する。
隣接した残りの２つの端面、例えば第３端面３０ｃと第４端面３０ｄが隣接した押縁１６の長手方向の端面１６ｄにそれぞれ当接する。
【００２７】
前記本体部３０の表面３０ｅの形状は、隣接した押縁１６の装飾形状の表面を連続する形状である。
前記本体部３０の裏面３０ｆに矩形状の突起３２が設けてある。
前記本体部３０の隣接した第１端面３０ａと第２端面３０ｂには、隣接した２つの框の内側面に設けたブロック取付部に当接して見込み方向他側（つまり、表面方向）に突出することを規制する規制部３３がそれぞれ設けてある。この規制部３３は、例えば第１端面３０ａ、第２端面３０ｂの裏面寄りに一体的に設けた突片である。
前記一方の規制部３３に係止部３４が設けてある。この係止部３４は例えば、規制部３３の表面に設けた突起である。
【００２８】
前記取付部３１は隣接した２つの框の内側面に設けたブロック取付部に係止し、押縁コーナーブロック１７を框に取付け固定する。例えば、基板３５と第１取付片３６と第２取付片３７を有する。
前記基板３５は矩形板状で、前記突起３２に嵌合する矩形状の穴３８を有する。この穴３８を突起３２に嵌合することで取付部３１が本体部３０に取付けられる。
よって、取付部３１は本体部３０の裏面３０ｆに着脱自在に取付けられる。なお、ビスで取付けても良い。
前記基板３５の隣接した２つの端面に第１取付片３６と第２取付片３７が一体的に設けてある。
【００２９】
このように、本体部３０と取付部３１を別体としたことにより、取付部３１を共通として異なる寸法の本体部３０を取付けることで、見付け寸法の異なる押縁に対応した押縁コーナーブロック１７とすることができる。
【００３０】
前述の本体部３０は亜鉛製で、アルミ製の押縁１６と外観を同一として意匠性を向上している。
前記取付部３１は樹脂製で、複雑形状であっても容易に製作できると共に、第１取付片３６と第２取付片３７が弾性を有する。
前記本体部３０と取付部３１の材質は亜鉛、アルミ、樹脂でも良く、好ましくは押縁１６と本体部３０を同一材質とする。
また、本体部３０と取付部３１は一体形状としても良い。
【００３１】
前記押縁コーナーブロック１７は隣接した框の内側面のコーナー部に取付けられる。
例えば、框の内側面にブロック取付部を設ける。隣接した横の框（上框１１又は下框１２）のブロック取付部に第１取付片３６を係止し、縦の框（縦框１３）のブロック取付部に第２取付片３７を係止することで、落下しないように取付け固定する。
前記係止部３４を横の框のブロック取付部に係止して落下を確実に防止する。
【００３２】
前記第１取付片３６と第２取付片３７は弾性変形してブロック取付部に係止して取付け固定され、その弾性復元力で本体部３０を表面方向に押圧する。本体部３０の規制部３３が隣接した框のブロック取付部に当接し、本体部３０の見込み方向他側（表面方向）への突出を規制し、その本体部３０の表面と押縁１６の表面と框の表面が面一となるようにしてある。
【００３３】
なお、取付部３１は隣接する２つの框の一方の框のブロック取付部に係止して取付け固定しても良い。例えば第１取付片３６のみを有する形状とする。
また、取付部３１は弾性変形せずにブロック取付部に係止して取付け固定しても良い。
【００３４】
この実施の形態では、前記ブロック取付部と押縁取付部２２が共通である。以下、その取付け状態を図４と図５に基づいて説明する。
第１取付片３６と第２取付片３７が隣接した上框１１と縦框１３及び下框１２と縦框１３の第２係止受片２４に弾性変形して係止する。その第１・第２取付片３６，３７の弾性復元力で本体部３０を表面方向に押圧し、その２つの規制部３３が、前述した隣接した２つの框の第１係止受片２３に当接する。一方の規制部３３に設けた係止部３４が上框１１及び下框１２の第１係止受片２３に係止する。
なお、ブロック取付部を押縁取付部２２と別に設けても良い。例えば、各框の内側面に押縁取付部の第１係止受片２３、第２係止受片２４と同様な形状の第１・第２係止受片を設ける。
【００３５】
次に、建具の組立て作業手順を説明する。
図１と図７に示すように、上框１１、下框１２、左右の縦框１３を方形状に連結して框組体１４とする。
図８に示すように、框組体１４の各内向突部２０に一側気密材２８を装着する。この後に框組体１４内に板状体１５を挿入して一側気密材２８に接する。前記板状体１５は下框１２の内側面１２ａにセッティングブロックを介して接する。
【００３６】
図９に示すように、隣接した框のコーナー部、例えば下框１２と縦框１３のコーナー部及び上框１１と縦框１３のコーナー部に押縁コーナーブロック１７を取付ける。
例えば、本体部３０の第１端面３０ａ、第２端面３０ｂを縦框１３の第１係止受片２３、下框１２の第１係止受片２３に当接すると共に、第１取付片３６と第２取付片３７を弾性変形させながら縦框１３、下框１２の第２係止受片２４にそれぞれ係止する。係止部３４を下框１２の第１係止受片２３に係止する。
上框１１と縦框１３のコーナー部にも押縁コーナーブロック１７を同様に取付ける。
これによって、本体部３０の表面と框組体１４の表面（見込み方向他側面）が面一となる。
【００３７】
図１０に示すように、押縁１６を取付ける。
隣接した一方の押縁１６の端面１６ｄにおける表面寄り部（一側片１６ｂの端面）を本体部３０の第３端面３０ｃに当接し、他方の押縁１６の端面１６ｄにおける表面寄り部分を本体部３０の第４端面３０ｄに当接する。
これによって、押縁１６の装飾形状の表面が押縁コーナーブロック１７の本体部３０の表面３０ｅで連続する。
押縁１６の端面１６ｄにおける平坦面である見込み方向一側寄り部分（横片１６ｃの端面）は相互に当接する。
【００３８】
図１１に示すように、板状体１５と各押縁１６との間の隙間に他側気密材２９を装着する。
【００３９】
次に、押縁コーナーブロック１７の第２の実施の形態を図１２、図１３、図１４に基づいて説明する。
押縁コーナーブロック１７は本体部３０と取付部３１を有する。
前記本体部３０は前述した第１の実施の形態の本体部３０と略同一で、裏面に突起３２が無い点が相違する。
取付部３１は直方体形状で、本体部３０の裏面に接着などの固着手段で固着されている。
前記本体部３０はアルミ製で、取付部３１は樹脂製で弾性を有する。なお、本体部３０，取付部３１の材質は前述に限ることはない。
【００４０】
前記取付部３１の見込み方向寸法と規制部３３の見込み方向寸法の和は、各框ブロック取付部、この実施の形態では押縁取付部２２の見込み方向の寸法、つまり、第１係止受片２３と第２係止受片２４との間隔よりも若干大きい。
よって、取付部３１と規制部３３を隣接した２つの框、例えば縦框１３と下框１２の第１係止受片２３と第２係止受片２４との間に弾性変形して押し込むことで嵌合し、その取付部３１が若干弾性圧縮変形し、その弾性復元力で本体部３０が表面方向に押圧され、規制部３３が第１係止受片２３に当接して表面方向への突出を規制すると共に、押縁コーナーブロック１７を取付け固定し、落下しないように保持される。係止片３４が横の框の第１係止受片２３に係止し、落下を確実に防止する。
【００４１】
なお、前記取付部３１をブロック取付部（例えば第１係止受片２３と第２係止受片２４との間）に、弾性変形して嵌合して取付け固定しても良い。
例えば、図１５、図１６に示すように、取付部３１の見付け寸法を本体部３０の見付け寸法よりも大きくして両者の見付け方向内側面が面一で、取付部３１の見付け方向外側面が本体部３０の見付け方向外側面よりも突出させ、取付部３１を本体部３０の第１・第２端面３０ａ，３０ｂまで突出させる。
そして、取付部３１をブロック取付部、例えば第１係止受片２３と第２係止受片２４との間に弾性変形して嵌合する。
【００４２】
このようにすれば、取付部３１が第１係止受片２３、第２係止受片２４に係止し落下が確実に防止される。
よって、本体部３０の係止部３４が不要となる。
【００４３】
また、取付部３１を弾性変形せずにブロック取付部に嵌合して取付け固定することも可能である。
【００４４】
前述の実施の形態では気密材を用いたが、図１７に示すように、板状体１５を各框の内向突起部２０に直接押しつけると共に、押縁１６を板状体１５に直接押しつける建具としても良い。この場合には押縁１６を樹脂製とすることが好ましい。
【００４５】
前述の各実施の形態において、押縁コーナーブロック１７の本体部３０を第３・第４端面３０ｃ，３０ｄと連続した横向部材を有する略Ｌ字状とし、押縁１６の端面１６ｄにおける平坦面である見込み方向一側寄り部分（横片１６ｃの端面）が本体部３０（横向部材）に当接するようにしても良い。
【００４６】
以上の各実施の形態では、各框は内向突部２０を有する形状としたが、各框は内向突部がなく内側面の見込み方向両側に押縁を取付けるようにしても良い。
また、押縁１６を框組体１４の四方（上框１１、下框１２、左右の縦框１３）に取付けしたが、隣接した２つの框、例えば上框１１と一方の縦框１３又は、下框１２と一方の縦框１３にのみ押縁１６を取付ける建具でも良い。
つまり、本発明の押縁付き建具は、少なくとも隣接した２つの框に押縁を取付けたものである。
【００４７】
【発明の効果】
請求項１に係る発明によれば、隣接した２つの押縁１６の表面が押縁コーナーブロック１７で連続する。
よって、表面が装飾形状の押縁１６の接合角部における表面形状を連続させることができる。
また、押縁コーナーブロック１７は、隣接した２つの框の少なくとも一方の框のブロック取付部に取付け固定されるので、この押縁コーナーブロック１７と板状体１５との間に隙間があるにもかかわらず、その押縁コーナーブロック１７は框組体１４から落下することがない。
よって、框組体１４内に板状体１５を設けた後に押縁コーナーブロック１７を取付け、その後に押縁１６を取付ける際に、押縁コーナーブロック１７を落下しないように作業者が手で保持する必要がなく、一人の作業者で組立て可能である。
したがって、押縁付き建具の組立作業性が良い。
【００４８】
請求項２に係る発明によれば、本体部３０が隣接する２つの框の内側面と、隣接した２つの押縁１６の端面にそれぞれ当接するので、隣接した２つの框及び隣接した２つの押縁が接合角部において一体的に連続する。
よって見栄えがよい。
また、取付部３１の取付片をブロック取付部の係止受片に係止することで、押縁コーナーブロック１７を容易に取付けできる。
【００４９】
請求項３に係る発明によれば、本体部３０が隣接する２つの框の内側面と、隣接した２つの押縁１６の端面１６ｄにそれぞれ当接するので、隣接した２つの框及び隣接した２つの押縁が接合角部において一体的に連続する。
よって、見栄えが良い。
また、取付部３１を弾性変形して第１係止受片２３と第２係止受片２４間に押し込んで嵌合することで、押縁コーナーブロック１７を容易に取付けできる。
【００５０】
請求項４に係る発明によれば、取付部３１の取付片弾性復元力によって本体部３０の規制部３３がブロック取付部の第１係止受片２３に当接して表面方向への突出が規制された。
よって、本体部３０の表面と框の表面と押縁の表面を面一とすることが可能である。
【００５１】
請求項５に係る発明によれば、取付部３１の弾性復元力で本体部３０の規制部３３が框の第１係止受片２３に当接して表面方向への突出が規制される。
よって、本体部３０の表面と框の表面と押縁の表面を面一とすることが可能である。
【図面の簡単な説明】
【図１】本発明の実施の形態を示す押縁付き建具の外観図である。
【図２】図１のＡ−Ａ断面図である。
【図３】図１のＢ−Ｂ断面図である。
【図４】図１のＣ−Ｃ断面図である。
【図５】図１のＤ−Ｄ断面図である。
【図６】押縁コーナーブロックの分解斜視図である。
【図７】押縁付き建具の組立作業を説明する斜視図である。
【図８】押縁付き建具の組立作業を説明する斜視図である。
【図９】押縁付き建具の組立作業を説明する斜視図である。
【図１０】押縁付き建具の組立作業を説明する斜視図である。
【図１１】押縁付き建具の組立作業を説明する斜視図である。
【図１２】異なる形状の押縁コーナーブロックを取付けた状態の框組体の一部斜視図である。
【図１３】縦断面図である。
【図１４】横断面図である。
【図１５】押縁コーナーブロックの取付部の他の形状を示す取付け状態の縦断面図である。
【図１６】押縁コーナーブロックの取付部の他の形状を示す取付け状態の横断面図である。
【図１７】気密材を用いない押縁付き建具の一部斜視図である。
【図１８】従来の押縁付き建具の外観図である。
【符号の説明】
１…上框、２…下框、３…縦框、４…框組体、５…板状体、６…押縁、１０…押縁付き建具、１１…上框（横の框）、１２…下框（横の框）、１３…縦框（縦の框）、１４…框組体、１５…板状体、１６…押縁、１７…押縁コーナーブロック、２２…押縁取付部（ブロック取付部）、２３…第１係止受片、２４…第２係止受片、３０…本体部、３０ａ…第１端面、３０ｂ…第２端面、３０ｃ…第３端面、３０ｄ…第４端面、３１…取付部、３３…規制部、３４…係止部、３６…第１取付片、３７…第２取付片。
【図１】
0003650967.tif 000002
【図２】
0003650967.tif 000003
【図３】
0003650967.tif 000004
【図４】
0003650967.tif 000005
【図５】
0003650967.tif 000006
【図６】
0003650967.tif 000007
【図７】
0003650967.tif 000008
【図８】
0003650967.tif 000009
【図９】
0003650967.tif 000010
【図１０】
0003650967.tif 000011
【図１１】
0003650967.tif 000012
【図１２】
0003650967.tif 000013
【図１３】
0003650967.tif 000014
【図１４】
0003650967.tif 000015
【図１５】
0003650967.tif 000016
【図１６】
0003650967.tif 000017
【図１７】
0003650967.tif 000018
【図１８】
0003650967.tif 000019